(57)【要約】    【課題】  カメラの背面部に配設される各種表示装置を保護するとともに、当該表示装置の取付が容易な背面パネル及び当該背面パネルを備えたカメラを提供する。    【解決手段】  カメラボディ１２の大略背面部を構成する背面パネル６０であって、自在に変動する動的情報を表示する動的表示部６３，６４は透明であり、所定の静的情報を二値的に表示する静的表示部７０は透光性を有し、前記動的表示部及び静的表示部以外の背景部６８は遮光性を有するように構成されている。【選択図】図６
2006340244.tif 000002
【特許請求の範囲】
【請求項１】
カメラボディの大略背面部を構成する背面パネルであって、
自在に変動する動的情報を表示する動的表示部は透明であり、
所定の静的情報を二値的に表示する静的表示部は透光性を有し、
前記動的表示部及び静的表示部以外の背景部は遮光性を有するように構成されていることを特徴とする背面パネル。
【請求項２】
カメラの操作釦を挿通するための開口部が背景部に設けられていることを特徴とする、請求項１記載の背面パネル。
【請求項３】
静的表示部は複数の情報表示部を有し、
各情報表示部は、その背後に設けられた照明装置によって個別に照明されることを特徴とする、請求項１記載の背面パネル。
【請求項４】
前記静的表示部は拡散面であることを特徴とする、請求項１記載の背面パネル。
【請求項５】
前記静的表示部の透過率は大略３０乃至８０％であることを特徴とする、請求項１記載の背面パネル。
【請求項６】
前記静的表示部はファインダ対応部分の近傍に配置されていることを特徴とする、請求項１記載の背面パネル。
【請求項７】
請求項１乃至６の背面パネルがカメラボディの大略背面部を構成することを特徴とするカメラ。
【発明の詳細な説明】
【技術分野】
【０００１】
本発明は、カメラボディの大略背面部を構成する背面パネル及び当該背面パネルを備えたカメラに関する。
【背景技術】
【０００２】
撮影中の画像をリアルタイムでモニタしたり、撮影済みの画像をモニタするためのモニタ表示装置がカメラの背面部材の開口部に組み込まれているものがある。このようなモニタ表示装置は液晶パネルから構成されていることがしばしばである。そして、露出している液晶パネル表面が傷付かないように、透明な保護部材が液晶パネル上に貼付されることが多い。
【０００３】
しかしながら、位置ズレが発生すること無くあるいは気泡が入ること無く、保護部材を液晶パネル上に上手に貼付することは一般に困難である。さらに、保護部材という部品が別途必要となるので、コストアップの要因となっている。
【０００４】
さらに、モニタ表示装置を背面部材の専用開口部に嵌め込んで取り付けるための専用取付形状や取付工数も必要となるのでコストがアップする、あるいは取付部材の取付場所も必要となるのでレイアウト上の制約を受けるという問題を有している。
【０００５】
一方、背面部材の他の専用開口部において、モニタ表示装置とは別体に、ストロボモード警告、手振れ警告、電池容量不足警告、撮影残枚数警告等の各種警告情報を使用者に知らせるための警告情報表示装置が組み込まれているものがある（例えば、特許文献１参照。）。
【０００６】
このような警告情報表示装置も、背面部材の他の専用開口部に嵌め込んで取り付けられており、上記モニタ表示装置と同様に、専用取付形状や取付工数も必要であるのでコストがアップする、あるいは取付部材の取付場所も必要となるのでレイアウト上の制約を受けるという問題を有している。
【０００７】
【特許文献１】特開２００４−１７７４４８号公報
【発明の開示】
【発明が解決しようとする課題】
【０００８】
したがって、本発明の解決すべき技術的課題は、カメラの背面部に配設される各種表示装置を保護するとともに、当該表示装置の取付が容易な背面パネル及び当該背面パネルを備えたカメラを提供することである。
【課題を解決するための手段および作用・効果】
【０００９】
上記技術的課題を解決するために、本発明によれば、以下の背面パネル及び当該背面パネルを備えたカメラが提供される。
【００１０】
すなわち、本発明に係る背面パネルは、カメラボディの大略背面部を構成する背面パネルであって、自在に変動する動的情報を表示する動的表示部は透明であり、所定の静的情報を二値的に表示する静的表示部は透光性を有し、前記動的表示部及び静的表示部以外の背景部は遮光性を有するように構成されていることを特徴とする。
【００１１】
上記背面パネルによれば、透明な動的表示部は動的情報をそのまま表示し、透光性を有する静的表示部は所定の静的情報を二値的に表示するが、遮光性の背景部はカメラの内部構造を知らしめることはない。したがって、カメラ内部の各種表示装置は、動的表示部及び静的表示部によって被覆されているので、外部に露出することなく保護される。また、背面パネルの開口部と各種表示部との間の凹凸や継目が無くなるために、デザイン的にもシンプル且つスッキリしたものになる。それとともに、専用取付形状にする必要が無い、取付工数も不必要になる、あるいは取付部材の取付場所も必要としないので、当該表示装置の取付が容易になる。
【００１２】
カメラを操作するためのタッチパネルのような操作釦を背面パネル上に形成した構成とすることもできるが、好ましくは、カメラの操作釦を挿通するための開口部が背景部に設けられている。
【００１３】
上記構成によれば、各種表示部や操作釦を含む背面構成を一枚のパネルでカバーすることができるので、操作釦周辺構造を簡単なものにすることができ、コストを削減することができる。また、デザイン的にもシンプル且つスッキリしたものになる。
【００１４】
静的表示部は複数の情報表示部を有し、各情報表示部は、その背後に設けられた照明装置によって個別に照明される。
【００１５】
上記構成によれば、背後の照明装置によって照明された情報表示部だけが視認されて、それ以外の情報表示部は視認されることはない。したがって、静的表示部は、ストロボモード警告、手振れ警告、電池容量不足警告、撮影残枚数警告等の各種警告情報を使用者に知らせるための警告情報表示装置として使用することができる。
【００１６】
背後にある照明装置がＬＥＤ等の点発光光源である場合、静的表示部での明るさムラが生じにくくするために、静的表示部が拡散面であることが好適である。なお、照明装置が有機ＥＬ（エレクトロルミネセンス）のように面発光光源である場合には、必ずしも拡散面である必要はなく、クリアな透光面であってもよい。
【００１７】
静的表示部における可視光の透過率は、大略３０乃至８０％である。
【００１８】
静的表示部は、様々な場所に配置することができるが、ファインダを有するカメラの場合には、ファインダ対応部分の近傍に配置されている。このように配置することによって、使用者がファインダを覗くときに静的表示部も一緒に視認することになるので、静的表示部の視認性が向上する。
【発明を実施するための最良の形態】
【００１９】
以下に、本発明の第一実施形態に係るデジタルカメラ１０について、図１乃至９を参照しながら詳細に説明する。なお、本発明は、銀塩式のカメラやビデオカメラにも適用可能である。
【００２０】
図１は、第一実施形態に係るデジタルカメラ１０の正面図であり、図２はその背面図であり、図３はデジタルカメラ１０の背面部分を構成する背面パネル６０である。図４は、背面パネル６０の斜視図である。図５は、背面パネル６０の警告表示部７０の拡大図である。図６は、デジタルカメラ１０の断面図である。図７は、デジタルカメラ１０のブロック図である。図８及び９はデジタルカメラ１０の動作を説明するフローチャートである。
【００２１】
図１に示すように、箱形で方形のカメラボディ１２は、その正面において、レンズの開口部１４と、ファインダ１６と、フラッシュ１８とを備えている。
【００２２】
図２に示すように、カメラボディ１２は、その背面において、液晶（ＬＣＤ）モニタ２８と、ファインダ１６と、ファインダ１６の接眼部の近傍に設けられた警告表示部７０と、設定釦２４とを備えている。
【００２３】
図１及び２に示すように、カメラボディ１２は、その上面において、電源スイッチ２０と、レリーズ釦２２とを備えている。
【００２４】
図３に示すような背面パネル６０が、カメラボディ１２の背面部に対して、ネジ止めや接着や係着等の公知の取付手段によって取り付けられており、大略背面部を構成している。背面パネル６０は、全体としては透明な板状体であるが、図６に示すような膜をカメラボディ１２の側に形成することによって、透明な部分６３，６４と、透光性を有する部分６８と、遮光性を有する部分７２とを備えている。
【００２５】
背面パネル６０の遮光部６８は、アルミニウム又はクロムの金属薄膜が厚目に（例えば、１μｍ以下であり、好適には０．３乃至０．５μｍ）形成されていて、カメラの内部に光が入らないように構成されている。金属薄膜の代わりに、誘電体多層膜で構成したり、黒色顔料等の光吸収物質を含む塗料で被覆したりすることも可能である。
【００２６】
背面パネル６０の透明部は、モニタ透明部６３及びファインダ透明部６４として、自在に変動する動的情報を表示する動的表示部である液晶モニタ２８及びファインダ１６のそれぞれに対応する部分に設けられている。したがって、液晶モニタ２８及びファインダ１６は、モニタ透明部６３及びファインダ透明部６４によってそれぞれ保護されている。透明な部分では、可視光の透過率が大略９０％である。なお、液晶モニタ２８の代わりに、有機ＥＬディスプレイやプラズマディスプレイを配設することも可能である。
【００２７】
背面パネル６０の透光部７２は、アルミニウム又はクロムの金属薄膜が上記遮光部分よりも薄目に形成されていて、所定の透過率を有するように構成されている。あるいは、誘電体多層膜によって透光性のある反射面とすることもできる。さらに、透光部７２を拡散面とすることもかのうであり、この場合には、乳白色顔料等の光拡散物質を含む塗料で被覆したり、すりガラス状にしたりすることによっても実現される。透光部７２における可視光の透過率は、大略３０乃至８０％である。
【００２８】
このような透光部７２は、所定の静的情報を二値的に表示する静的表示部である警告表示部７０に対応する部分に設けられている。すなわち、図５に示すように、静的表示部である警告表示部７０において、ストロボモード警告、手振れ警告、電池容量不足警告、撮影残枚数警告等の各種警告情報を使用者に知らせるための警告情報を模式的に示す警告マーク７２（図５には、手振れ警告マーク、ストロボモード警告マーク等を例示している）は、透光部７２によって構成されている。警告マーク以外の部分は、上述した遮光部６８によって構成されている。
【００２９】
各警告マーク７２の背後には、照明装置３２が配設されている。照明装置３２としては、ＬＥＤ等の点発光光源や、有機ＥＬ（エレクトロルミネセンス）のように面発光光源を用いることができる。警告すべき警告マークに対応する照明装置３２を点灯させることによって、該当する警告マークを個別に表示させることができる。照明装置３２を点灯しないときには、警告マーク７２が表示されたり、透光部７２を介して背後の照明装置３２が視認されたりすることはない。したがって、照明装置３２の点灯及び非点灯によって、警告情報を静的に（静止的な情報を表示するのであって動的情報を表示するものではない）且つ二値的（照明有りで表示、照明無しで非表示）に表示することができる。
【００３０】
背面パネル６０において、開口穴６６が設定釦２４に対応する部分に設けられている。背面パネル６０をカメラボディ１２に取り付けたときには、設定釦２４が開口穴６６に挿通されて設定釦２４が開口穴６６から露出している。
【００３１】
図１に示したデジタルカメラ１０は、ＣＣＤによって撮影した画像をメモリカード装着部を介してメモリカードに記録するものである。カメラ全体の動作は、マイクロコンピュータであって、撮影機能及び再生機能を集中制御するＣＰＵ（中央演算処理装置）によって制御される。
【００３２】
カメラボディ１２には、レリーズ釦２２や、撮影モード、再生モード等の設定を行うためのモード設定ダイヤルや、連写モード、シーン選択等の設定を行うためのジョグダイアル等の設定釦２４が設けられている。この設定釦２４での操作に応じた信号がＣＰＵに入力される。
【００３３】
ＣＣＤは、被写体像を電気信号に光電変換するための電荷結合素子であり、相補型ＭＯＳ（ＣＭＯＳ）等も使用可能である。
【００３４】
被写体面上の被写体像は、レンズ及び絞りを介してＣＣＤの受光面に結像される。レンズは、測距手段で測定された被写体までの距離に基づいて、ＣＰＵ及び焦点制御部によって制御される焦点用モータ（レンズ駆動部）によって駆動される。また、測光モジュール（測光手段）によって測定された測光値に基づいて、被写体輝度（ＥＶ値）が算出される。被写体輝度（ＥＶ値）から、絞りやシャッタ等の露出量が最適化される。
【００３５】
ＣＣＤに蓄積された信号電荷は、光電変換されて、タイミング制御回路から加えられる読み出し信号に基づいて信号電荷に応じた電圧信号として読み出される。ＣＣＤから読み出された電圧信号は、Ａ／Ｄ変換器、黒レベル補正回路、ホワイトバランス補正回路、ガンマ補正回路等の信号・画像処理部によって、信号処理及び画像処理が行われる。このような各種処理された画像データは、画像メモリに一時的に保持される。
【００３６】
画像メモリに保持された画像データは、ＶＲＡＭに入力されたあと、カメラ背面に配設されている液晶モニタ２８に出力される。その結果、被写体像が液晶モニタ２８の表示画面上にライブビュー表示として表示される。
【００３７】
カメラボディ１２の上部には内蔵のフラッシュ１８が設けられている。
【００３８】
ストロボモード警告、手振れ警告、電池容量不足警告、撮影残枚数警告等の各種警告情報を使用者に知らせるための警告情報を模式的に示す警告マーク７２を表示させる必要がある場合には、対応する警告マーク７２の照明装置３２が点灯して、警告マーク７２を照明する。
【００３９】
次に、図８及び９を参照しながら、デジタルカメラ１０の動作について説明する。
【００４０】
ステップ♯１００において、撮影動作が開始する。電源スイッチ２０をＯＮにすると（ステップ♯１０２）、各種チェック動作を行いながらカメラ１０が起動する。ステップ♯１０４において、カメラで撮影するカメラ撮影モードが選択されているか否かが判断される。カメラ撮影モードではなく、再生モードが選択されている場合、再生モードが実行される（ステップ♯１０５）。
【００４１】
ステップ♯１０６において、ライブで視認しながら撮影するライブビューモードが選択されているか否かが判断される。そのモードが選択されている場合、撮像を開始してライブビューが液晶（ＬＣＤ）モニタ２８上に表示される（ステップ♯１０８）。そのモードが選択されていない場合、ライブビューが液晶（ＬＣＤ）モニタ２８上に表示されることなく、撮影が行われる。
【００４２】
ステップ♯１１０において、手振れ防止モードが選択されているか否かが判断される。そのモードが選択されている場合、手振れの発生を検出したときに手振れ防止を警告するＬＥＤが点灯して、手振れ警告が警告表示部７０上に表示される（ステップ♯１１１）。手振れ防止モードが選択されていない場合、当該警告表示は行われない。
【００４３】
ステップ♯１１２において、セルフタイマーモードが選択されているか否かが判断される。そのモードが選択されている場合、セルフタイマーの選択を警告するＬＥＤが点灯して、セルフタイマー警告が警告表示部７０上に表示される（ステップ♯１１３）。セルフタイマーモードが選択されていない場合、当該警告表示は行われない。
【００４４】
ステップ♯１１４において、レリーズ釦２２が半押しされているか否かが判断される。レリーズ釦２２が半押しされている場合、測光動作を行い（ステップ♯１１６）、合焦動作を行う（ステップ♯１１８）。ステップ♯１２０において、合焦動作が完了しているか否かが判断されて、合焦していることを示すＡＦ−ＬＥＤが点灯する（ステップ♯１２２）。
【００４５】
ステップ♯１２４において、レリーズ釦２２が全押しされているか否かが判断される。レリーズ釦２２が全押しされていない場合、ステップ♯１１４の前まで戻る。
【００４６】
ステップ♯１２６において、セルフタイマーモードが選択されているか否かが判断される。そのモードが選択されている場合、セルフタイマー警告ＬＥＤの点滅が開始する（ステップ♯１２７）。そして、１０秒の経過がカウントされて、セルフタイマー警告ＬＥＤの点滅が終了する（ステップ♯１２９）。
【００４７】
ステップ♯１３０において、シャッタが開いて露光が実行される。ＡＦ−ＬＥＤが消灯したあと（ステップ♯１３２）、撮影された画像の画像処理が行われる（ステップ♯１３２）。画像処理された画像は、メモリカードに記録されて（ステップ♯１３６）、一連の撮影動作が終了する（ステップ♯１３８）。
【００４８】
次に、本発明の第二実施形態に係るデジタルカメラ１０について図１０乃至１２を参照しながら説明する。基本的な構成は第一実施形態のものと同じであるので、それらの詳細な説明を省略し、第一実施形態との相違点を中心に説明する。
【００４９】
つまり、第一実施形態との主たる相違点は、第二実施形態に係るデジタルカメラ１０がファインダ１６を備えていないことである。
【００５０】
図１０及び１１に示すように、ファインダ１６が設けられていない。使用者は、液晶（ＬＣＤ）モニタ２８に表示された被写体画像を見ながら撮影することになる。ファインダ１６によって占有されていたスペースが空くために、液晶（ＬＣＤ）モニタ２８のサイズを第一実施形態のものより大きくすることができるので、液晶（ＬＣＤ）モニタ２８上の被写体画像の視認性が向上する。また、複数の設定釦２４を配置することもできるので、設定釦２４の操作性が向上する。
【００５１】
図１１及び１２に示すように、ファインダ１６が設けられていないので、背面パネル６０はファインダ透明部６８を有していない。警告表示部７０は、例えば、液晶（ＬＣＤ）モニタ２８の上部に配設することができる。
【図面の簡単な説明】
【００５２】
【図１】本発明の第一実施形態に係るデジタルカメラの正面図である。
【図２】図１に示したデジタルカメラの背面図である。
【図３】図１に示したデジタルカメラの背面部を構成する背面パネルである。
【図４】図３に示した背面パネルの斜視図である。
【図５】背面パネルの警告表示部の拡大図である。
【図６】図１に示したデジタルカメラの断面図である。
【図７】本発明に係るデジタルカメラのブロック図である。
【図８】本発明に係るデジタルカメラの動作を説明するフローチャートである。
【図９】本発明に係るデジタルカメラの動作を説明するフローチャートである。
【図１０】本発明の他の実施形態に係るデジタルカメラの正面図である。
【図１１】図１０に示したデジタルカメラの背面図である。
【図１２】図１０に示したデジタルカメラの背面部を構成する背面パネルである。
【符号の説明】
【００５３】
１０  デジタルカメラ
１２  カメラボディ
１４  レンズ開口部
１５  スライドカバー
１６  ファインダ
１８  フラッシュ
２０  電源スイッチ
２２  レリーズ釦
２４  設定釦
２８  液晶（ＬＣＤ）モニタ
３０  駆動回路基板
３２  照明装置
６０  背面パネル
６２  パネル本体
６３  モニタ透明部
６４  ファインダ透明部
６６  開口穴
６８  遮光部
７０  警告表示部（情報表示部）
７２  透光部（警告マーク）
【図１】
2006340244.tif 000003
【図２】
2006340244.tif 000004
【図３】
2006340244.tif 000005
【図４】
2006340244.tif 000006
【図５】
2006340244.tif 000007
【図６】
2006340244.tif 000008
【図７】
2006340244.tif 000009
【図８】
2006340244.tif 000010
【図９】
2006340244.tif 000011
【図１０】
2006340244.tif 000012
【図１１】
2006340244.tif 000013
【図１２】
2006340244.tif 000014